(57)【要約】      （修正有）【課題】小型化及び低コスト化が可能であり、且つ、全方向への加熱空気の拡散を可能として、期待される高速暖房効果を得ることができるオイルヒータを提供する。【解決手段】オイルヒータ１−１は、本体部２と本体部２の操作を行うためのコントロールパネル３とを備える。本体部２は、下部タンク４と、上部タンク５と、これらのタンク４，５を連通する複数の放熱板６と、ファンボックス７とで構成され、全体として円柱状をなす。下部タンク４は、電気ヒータを有し、上部タンク５は、通風口を有する。各放熱板６は流通路を有し、複数の放熱板６は、上部タンク５の中心部の周りに放射状に配置されている。そして、ファンボックス７は、電動モータ７０と電動モータ７０の回転軸に取り付けられたファン７１とを備えている。【選択図】図１
0003210700.tif 000002
【実用新案登録請求の範囲】
【請求項１】
上部タンクが、電気ヒータを有した下部タンクの真上に配置され、下開口が上記下部タンクの内部と連通すると共に上開口が上記上部タンクの内部と連通する流通路を有した放熱板が、上記下部タンクと上部タンクとの間に複数介設され、不燃性のオイルが、上記下部タンク内と上部タンク内と複数の放熱板の流通路内に充填されたオイルヒータであって、
上記複数の放熱板が、上記上部タンクの下面の中心部の周りに一定角度間隔で放射状に配置され、
且つ、上記下部タンク及び上部タンクが、平面視において円形又は多角形に形成されて、本体部全体の外形が、円柱状又は多角柱状に形成されている、
ことを特徴とするオイルヒータ。
【請求項２】
請求項１に記載のオイルヒータにおいて、
上記上部タンクの上面から下面に亘って貫通する通風口が、上部タンクの中央部に設けられ、電動モータで回転して下方に風を送出するファンが、上記通風口の真上又は内部のいずれかに配設されている、
ことを特徴とするオイルヒータ。
【請求項３】
請求項２に記載のオイルヒータにおいて、
上記ファンは、上記上部タンク上に着脱自在に設けられている、
ことを特徴とするオイルヒータ。
【請求項４】
請求項１ないし請求項３のいずれかに記載のオイルヒータにおいて、
上記下部タンクの上面は、中心部から径方向に下降傾斜した形状に形成されている、
ことを特徴とするオイルヒータ。
【請求項５】
請求項１ないし請求項４のいずれかに記載のオイルヒータにおいて、
上記複数の放熱板とは別体の帯状の放熱板が、上記複数の放熱板の周囲に、一定間隔で複数巻き付けられている、
ことを特徴とするオイルヒータ。
【請求項６】
請求項１ないし請求項５のいずれかに記載のオイルヒータにおいて、
上記下部タンクが有する電気ヒータとは別体の電気ヒータを、上記上部タンクにも設けた、
ことを特徴とするオイルヒータ。
【考案の詳細な説明】
【技術分野】
【０００１】
この考案は、電気ヒータにより加熱した不燃性オイルを対流させて、不燃性オイルの熱を放熱板から放熱するオイルヒータに関するものである。
【背景技術】
【０００２】
従来、この種のオイルヒータは、オイル流通路を内部に有した縦長の放熱板と、放熱板の上下に取り付けられる管体と、不燃性のオイルを加熱するための電気ヒータとを備えている。
具体的には、複数の放熱板が一定間隔で横一列に並べられ、一方の管体が水平に複数の放熱板の上部側に連結され、内部に電気ヒータを収納した他方の管体が、水平に複数の放熱板の下部側に連結されている（例えば、特許文献１参照）。
かかる構成により、下方の管体内のオイルを電気ヒータにより加熱することで、加熱されたオイルが、下方の管体から放熱板内のオイル流通路を通って上方の管体に至り、この管体から放熱板内のオイル流通路を通って下方の管体に戻る。つまり、加熱されたオイルが上，下管体及び複数の放熱板内を循環することによって、オイルの熱が、放熱板を介して、オイルヒータの外部に放熱され、外部空間が暖められる。
【０００３】
しかし、上記したオイルヒータでは、室内の高速暖房が困難である。
すなわち、上記のオイルヒータでは、放熱板で加熱された空気が、上昇するだけであり、横方向や下方向に拡散しないので、オイルヒータを置いた室内が暖まるまでに長時間を要する。また、オイルヒータの近くだけが暖かく、オイルヒータから少し離れると、十分な暖房効果を得ることができなくなる。特に、室の上下温度差は大きく、床面温度が低いので、オイルヒータを長時間運転しても、床側の温度が上昇することはほとんどない。
【０００４】
そこで、モータ駆動のファンを複数の放熱板の上方に取り付け、ファンからの風を放熱板に対して上から下に吹き付けて、放熱板で加熱された空気をオイルヒータの横方向や下方向に拡散させることができるオイルヒータが提案されている（例えば、特許文献２参照）。
【先行技術文献】
【特許文献】
【０００５】
【特許文献１】特開２００８−２６７６２６号公報
【特許文献２】特開２０１１−０２７３８４号公報
【考案の概要】
【考案が解決しようとする課題】
【０００６】
しかし、上記したファン付きのオイルヒータでは、次のような問題がある。
すなわち、上記したオイルヒータは、複数の放熱板を一定間隔で横一列に並べた構成であるので、オイルヒータ全体が放熱板の並び方向（以下、「前後方向」と記す）に長くなっている。したがって、１つのファンを放熱板の上方に取り付けただけでは、十分な風力を得ることができない。このため、複数のファンを複数の放熱板の前後方向に沿って並設する必要があり、その分製品コストが高くなる。また、複数のファンを用いることで、騒音の問題も発生する。
また、ファンにより拡散された加熱空気は、オイルヒータの下方と側方とに流れ、前後方向には直接流れない。つまり、全方向への空気拡散が困難なため、期待される高速暖房効果を得ることができない。
さらに、このオイルヒータは、複数の放熱板を一定間隔で横一列に並べる構成であるので、オイルヒータ全体が前後方向に長くなり、大型化しがちである。このため、オイルヒータを配置する場合や収納する場合に、大きなスペースが必要になり、不便である。
【０００７】
この考案は、上述した課題を解決するためになされたもので、小型化及び低コスト化が可能であり、且つ、全方向への加熱空気の拡散を可能として、期待される高速暖房効果を得ることができるオイルヒータを提供することを目的とする。
【課題を解決するための手段】
【０００８】
上記課題を解決するために、第１の考案は、上部タンクが、電気ヒータを有した下部タンクの真上に配置され、下開口が下部タンクの内部と連通すると共に上開口が上部タンクの内部と連通する流通路を有した放熱板が、下部タンクと上部タンクとの間に複数介設され、不燃性のオイルが、下部タンク内と上部タンク内と複数の放熱板の流通路内に充填されたオイルヒータであって、複数の放熱板が、上部タンクの下面の中心部の周りに一定角度間隔で放射状に配置され、且つ、下部タンク及び上部タンクが、平面視において円形又は多角形に形成されて、本体部全体の外形が、円柱状又は多角柱状に形成されている構成とした。
かかる構成により、電気ヒータが下部タンク内のオイルを加熱すると、加熱されたオイルは、下部タンク全体を加熱すると共に、放熱板の流通路を通って放熱板を加熱した後、上部タンク内に流入する。そして、上部タンク全体を加熱した後、放熱板の流通路を通って下部タンク内に戻る。このように、加熱されたオイルは、下部タンクと放熱板と上部タンクとの間を循環し、熱が下部タンク表面と放熱板表面と上部タンク表面から放散され、周囲の空気が暖められる。
このとき、電気ヒータが下部タンクに設けられているので、効率的なオイル循環が行われ、オイル全体の温度を急速に上昇させることができる。
また、複数の放熱板が放射状に配置されているので、オイルヒータの上方及び下方の空気だけでなく、周囲３６０°の空気も加熱される。つまり、この考案のオイルヒータを使用することで、全方向の空気の加熱が可能となる。
さらに、このオイルヒータでは、複数の放熱板を、横並びでなく、放射状に配置して、本体部全体の外形を、円柱状又は多角柱状に形成しているので、意匠性の向上を図ることができるだけでなく、オイルヒータ全体の小型化が可能である。この結果、製品の低コスト化を図ることができる。また、オイルヒータの配置場所や収納場所の省スペース化を図ることができる。
【０００９】
第２の考案は、第１の考案のオイルヒータにおいて、上部タンクの上面から下面に亘って貫通する通風口が、上部タンクの中央部に設けられ、電動モータで回転して下方に風を送出するファンが、通風口の真上又は内部のいずれかに配設されている構成とした。
かかる構成により、電動モータによってファンが回転すると、風が、下方に送出され、上部タンクの中央部の通風口を通じて複数の放熱板側に流出する。
このとき、複数の放熱板が、上部タンクの下面の中心部の周りに一定角度間隔で放射状に配置されているので、通風口から下方に流出した風が、放射状に配置されている複数の放熱板に吹き付けられる。これにより、複数の放熱板や上部タンク及び下部タンクで加熱された空気が、温風となって、オイルヒータの下部側から放射状に急速に拡散される。この結果、加熱空気がオイルヒータの近くに偏らず、室内全体に拡散し、加熱空気の室内での急速対流が発生して、室内全体が急速に暖められる。
つまり、このオイルヒータによれば、全方向の暖房が可能だけでなく、室内全体を急速に暖房することができる。
さらに、複数の放熱板が、横並びでなく、放射状に配置され、オイルヒータの本体部全体の外形が、円柱状又は多角柱状に形成されているので、１つのファンだけで、風を全ての放熱板に対して吹き付けることができる。したがって、上記した従来のオイルヒータのように複数のファンを取り付ける必要がなく、製品の小型化と低コスト化を達成することができる。
【００１０】
第３の考案は、第２の考案のオイルヒータにおいて、ファンは、本体部上に着脱自在に設けられている構成とした。
【００１１】
第４の考案は、第１ないし第３の考案のいずれかの考案に係るオイルヒータにおいて、下部タンクの上面は、中心部から径方向に下降傾斜した形状に形成されている構成とした。
【００１２】
第５の考案は、第１ないし第４の考案のいずれかの考案に係るオイルヒータにおいて、複数の放熱板とは別体の帯状の放熱板が、複数の放熱板の周囲に、一定間隔で複数巻き付けられている構成とした。
【００１３】
第６の考案は、第１ないし第５の考案のいずれかの考案に係るオイルヒータにおいて、下部タンクが有する電気ヒータとは別体の電気ヒータを、上部タンクにも設けた構成とする。
【考案の効果】
【００１４】
以上詳しく説明したように、この考案のオイルヒータによれば、加熱空気を全方向に拡散して、全方向の暖房を行うことができるという優れた効果がある。また、オイルヒータ全体の小型化が可能であり、その結果、製品の低コスト化とオイルヒータの配置場所や収納場所の省スペース化を図ることができるという効果もある。
【００１５】
特に、第２の考案に係るオイルヒータによれば、全方向の暖房だけでなく、室内全体を急速に暖房することができるという優れた効果がある。また、１つのファンだけで、目的を達成することができるので、この点からも、製品の小型化と低コスト化を図ることができる。
【図面の簡単な説明】
【００１６】
【図１】この考案の第１実施例に係るオイルヒータを示す斜視図である。
【図２】オイルヒータの分解斜視図である。
【図３】オイルヒータの断面図である。
【図４】オイルヒータの下方から見た放熱板の配置図である。
【図５】ファンボックスを本体部から取り外した状態を示す部分断面図である。
【図６】オイルの加熱状態を説明するための断面図である。
【図７】温風の流れを説明するための概略断面図である。
【図８】温風の全方向拡散状態を示す概略図である。
【図９】この考案の第２実施例に係るオイルヒータを示す斜視図である。
【図１０】この考案の第３実施例に係るオイルヒータを示す斜視図である。
【図１１】この考案の第４実施例に係るオイルヒータの要部を示す部分断面図である。
【図１２】電気ヒータの取り付け状態を示す概略図である。
【図１３】放熱板の配置状態の変形例を示す概略図である。
【図１４】流通路の変形例を示す概略図であり、図１４の（ａ）は、第１変形例を示し、図１４の（ｂ）は、第２変形例を示す。
【図１５】オイルヒータの変形例を示す斜視図である。
【図１６】ファンの配置状態の変形例を示す断面図である。
【考案を実施するための形態】
【００１７】
以下、この考案の最良の形態について図面を参照して説明する。
【００１８】
（実施例１）
図１は、この考案の第１実施例に係るオイルヒータを示す斜視図であり、図２は、オイルヒータの分解斜視図であり、図３は、オイルヒータの断面図である。
図１に示すように、この実施例のオイルヒータ１−１は、本体部２と、本体部２の操作を行うためのコントロールパネル３とを備えている。
【００１９】
本体部２は、下部タンク４と、下部タンク４の真上に配置された上部タンク５と、下部タンク４と上部タンク５との間に介設された複数の放熱板６と、ファンボックス７とで構成されている。
【００２０】
下部タンク４は、図２に示すように、本体部２の最下部に配置され、４つのキャスタ４０が、この下部タンク４の下面４ａに取り付けられている。下部タンク４の外形は、略円筒状に設定されており、その上面４ｂは、中心部４ｃから径方向に下降傾斜した形状に形成されている。つまり、上面４ｂは、僅かな高さｈを有した略円錐状をなす。    
このような下部タンク４の内部には、図３に示すように、電気ヒータ４１が取り付けられている。この実施例では、電気ヒータ４１として、図に示すように、発熱棒４１ａを有したものを例示する。しかし、電気ヒータとしては、通電によって加熱する各種のヒータを適用することができ、発熱棒４１ａを有する電気ヒータ４１に限定するものではない。
【００２１】
上部タンク５は、図２に示したように、下部タンク４の真上に配置されており、下部タンク４とほぼ同形の円筒状をなす。この上部タンク５の中央部には、上面５ａから下面５ｂに亘って貫通する通風口５０が形成されている。
【００２２】
図４は、オイルヒータの下方から見た放熱板の配置図である。
図２に示したように、各放熱板６は、全体として縦長のパネルであり、この実施例では、放熱板６の上下で開口する３本の断面円形の流通路６０を有している。
各放熱板６の流通路６０は、図３に示したように、下部タンク４の内部と上部タンク５の内部とを連通させるための通路であり、各流通路６０の下開口６０ａが下部タンク４の上面孔４５と連通し、上開口６０ｂが上部タンク５の下面孔５１と連通している。
このような放熱板６の使用枚数は３枚以上であれば、任意である。この実施例では、１２枚の放熱板６を使用した。
具体的には、図４に示すように、１２枚の放熱板６が、上部タンク５の下面５ｂの中心部の周りに中心角３０°で放射状に配置され、各流通路６０の下開口６０ａ，上開口６０ｂが、下部タンク４の上面孔４５と上部タンク５の下面孔５１とにそれぞれ連結されている（図３参照）。
そして、放熱板６の外端６ａが、上部タンク５の外端５ｃとほぼ一致するように設定され、内端６ｂが、上部タンク５の通風口５０の端近傍に位置するように、設定されている。  
【００２３】
以上のように、下部タンク４の内部と上部タンク５内部と放熱板６の流通路６０とは、空間的に連結されている。そして、図３に示すように、これらの空間、すなわち、下部タンク４の内部と上部タンク５内部と放熱板６の流通路６０内には、不燃性のオイルＡが、充填されている。
【００２４】
ファンボックス７は、空気孔７ａから吸入した空気を風にして、上部タンク５の通風口５０に向かってを送出するためのものである。具体的には、電動モータ７０がファンボックス７の上内面７ｂの中央部に取り付けられ、ファン７１が、電動モータ７０の回転軸に取り付けられている。
電動モータ７０は、直流駆動モータであり、コネクタ７３，３６を通じて、後述するコントロールパネル３のＡＣ／ＤＣコンバータ３５に接続されている。ファン７１は、上部タンク５の通風口５０の真上に位置し、電動モータ７０の駆動によって、風を下方の通風口５０内に送出する。
【００２５】
図５は、ファンボックス７を本体部２から取り外した状態を示す部分断面図である。
図２に示したように、ファンボックス７は、上部タンク５と略同径のボックス状に形成されている。そして、図５に示すように、このファンボックス７は、上部タンク５上に着脱自在に取り付けられている。
すなわち、コネクタ７３，３６の接続を解除した状態で、ファンボックス７全体を上方に持ち上げることで、ファンボックス７を本体部２から取り外すことができる。そして、ファンボックス７を上部タンク５の上に載せ、コネクタ７３，３６を接続することで、ファンボックス７を本体部２に取り付けることができる。
ファンボックス７の電動モータ７０は、長時間使用すると、故障することが多い。このため、上記のように、ファンボックス７を交換可能な構造にすることで、メインテナンス性を高めた。
【００２６】
図１に示すように、下部タンク４と上部タンク５とファンボックス７と１２枚の放熱板６は、平面視において略円形に設定されており、オイルヒータ１−１の本体部２全体の外形が、円柱状をなす。
このように、本体部２の外形を円柱状に形成することで、オイルヒータ１−１全体の意匠性の向上を図るだけでなく、オイルヒータ１−１全体の小型化を図っている。
この結果、オイルヒータ１−１の製品コストの低減化と、オイルヒータ１−１の配置場所や収納場所の省スペース化とが可能となっている。
【００２７】
コントロールパネル３は、本体部２を操作するためのパネルであり、温度調整部３１とタイマー設定部３２とファン調整部３３とを有している。
図３に示すように、この実施例のオイルヒータ１−１は、プラグ３７を商用交流電源のコンセント（図示省略）に接続して、電源電圧を電気ヒータ４１に供給することにより、電気ヒータ４１を加熱する構造になっている。
温度調整部３１は、電気ヒータ４１への商用交流電源の供給をオン又はオフする機能と電気ヒータ４１の加熱温度を上下する機能とを有している。すなわち、温度調整部３１の摘みを一方向に回転させて、電源をオンにすると、ＬＥＤランプ３０が点灯すると共に、電気ヒータ４１への電源供給か行われる。摘みをさらに回転させることにより、電気ヒータ４１への電源電圧が高くなり、電気ヒータ４１の加熱温度が上昇する。そして、摘みを逆に回転させることで、電気ヒータ４１の加熱温度を下降させて、商用交流電源の供給をオフにすることができる。
また、タイマー設定部３２は、電源の電気ヒータ４１への供給時間を設定することができ、ファン調整部３３は、ＡＣ／ＤＣコンバータ３５への商用交流電源の供給をオン又はオフする機能と電源電圧を上下する機能とを有している。すなわち、ファン調整部３３の摘みを回転させて、交流電源をＡＣ／ＤＣコンバータ３５に供給すると、直流電圧がＡＣ／ＤＣコンバータ３５から出力される。すると、この直流電圧がコネクタ７３，３６を通じてファンボックス７の電動モータ７０に供給されて、ファン７１が回転する。その後、摘みを正，逆回転させることにより、ファン７１の回転数を上，下させることができる。
【００２８】
次に、この実施例のオイルヒータ１−１が示す作用及び効果について説明する。
図６は、オイルの加熱状態を説明するための断面図であり、図７は、温風の流れを説明するための概略断面図であり、図８は、温風の全方向拡散状態を示す概略図である。
【００２９】
図６において、プラグ３７を商用交流電源のコンセント（図示省略）に接続した後、コントロールパネル３の温度調整部３１を用いて、オイルヒータ１−１の電源をオンにすると、ＬＥＤランプ３０が点灯すると共に電気ヒータ４１が加熱する。
すると、電気ヒータ４１によって、下部タンク４内のオイルＡが加熱され、加熱されたオイルＡが、矢印で示すように、下部タンク４から放熱板６の流通路６０内に流入する。加熱されたオイルＡは、放熱板６を加熱しながら流通路６０内を上昇し、上部タンク５内に流入する。そして、上部タンク５を加熱した後、放熱板６の流通路６０を通って下部タンク４内に戻る。
つまり、電気ヒータ４１で加熱されたオイルＡは、下部タンク４と放熱板６と上部タンク５との間を循環して、下部タンク４全体と放熱板６全体と上部タンク５全体とを加熱する。
この結果、高温の熱が、下部タンク４表面と放熱板６表面と上部タンク５表面から放散され、下部タンク４と放熱板６と上部タンク５の近くの空気が加熱される。
【００３０】
そして、コントロールパネル３のファン調整部３３をオンにすると、ファンボックス７内の電動モータ７０が駆動して、ファン７１が回転する。
これにより、図７に示すように、風Ｗが、上部タンク５の通風口５０から放熱板６と下部タンク４に向かって噴出する。
すると、上部タンク５と放熱板６と下部タンク４とによって加熱された空気が、温風Ｗとなって、オイルヒータ１−１の周囲に拡散する。
このとき、図８に示すように、１２枚の放熱板６が、中心角３０°間隔で放射状に配置されているので、温風Ｗは、オイルヒータ１−１の周囲３６０°という全方向に放射状に拡散する。
つまり、この実施例のオイルヒータ１−１によれば、図７に示すように、たった１つのファン７１を回転させるだけで、温風Ｗを、オイルヒータ１−１の周囲の全方向へ噴出することができる。これにより、オイルヒータ１−１を例えば室内の中央部に配置して駆動することで、室内全体を高速で暖房することができる。
【００３１】
ところで、オイルヒータ１−１の使用時には、下部タンク４の表面が１００°Ｃという高温に達することがある。したがって、オイルヒータ１−１を長時間使用すると、下部タンク４の上面４ｂに貯まった塵や埃が発火するおそれがある。
しかし、この実施例のオイルヒータ１−１では、下部タンク４の上面４ｂが、中心部４ｃから径方向に高さｈだけ下降傾斜した形状に形成されているので、塵や埃が下部タンク４の上面４ｂから自然に滑り落ちる。また、塵や埃が上面４ｂに貯まった場合であっても、オイルヒータ１−１の駆動時に発生する温風Ｗによって、塵や埃が上面４ｂから容易に吹き落とされる。
【００３２】
そして、室内暖房後、温度調整部３１をオフにすることで、又はタイマー設定部３２で設定した時間が経過すると、オイルヒータ１−１の駆動が停止する。
【００３３】
（実施例２）
次に、この考案の第２実施例について説明する。
図９は、この考案の第２実施例に係るオイルヒータを示す斜視図である。
【００３４】
図９に示すように、この実施例のオイルヒータ１−２も、第１実施例のオイルヒータ１−１と同様に、本体部２とコントロールパネル３とを備えている。
しかし、この実施例における本体部２では、第１実施例と異なり、ファンボックス７を除いた構造になっており、オイルヒータ１−２の軽量化とコストダウンとを図っている。
このため、コントロールパネル３には、ファン調整部３３を有しておらず、上部タンク５の上面５ａは、通風口５０のない平面形状になっている。
この実施例のオイルヒータ１−２では、ウオータプール８が、上部タンク５の上面５ａに着脱自在に取り付けられている。
ウオータプール８は、メッシュ８０を有した加湿用の器具であり、水を内部に入れておくことができる。これにより、上部タンク５の上面５ａから放出される熱によって、ウオータプール８内部の水を蒸発させて、乾燥した室内を加湿することができる。
なお、第１実施例のオイルヒータ１−１において、このウオータプール８を、ファンボックス７上に着脱自在に取り付けてもよい。
その他の構成、作用及び効果は、上記第１実施例と同様であるので、その記載は省略する。
【００３５】
（実施例３）
次に、この考案の第３実施例について説明する。
図１０は、この考案の第３実施例に係るオイルヒータを示す斜視図である。
【００３６】
図１０に示すように、この実施例のオイルヒータ１−３は、第１実施例のオイルヒータ１−１と同様に、本体部２とコントロールパネル３とを有し、本体部２が、下部タンク４と上部タンク５と１２枚の放熱板６とファンボックス７とを備えている。
しかし、この実施例のオイルヒータ１−３では、放熱板６とは別体の放熱板６’が追加されている。
放熱板６’は、流通路を有しない帯状のパネルであり、図に示すように、１２枚の放熱板６の周囲に巻き付けられて固定されている。
なお、放熱板６’の枚数は任意であるが、この実施例では、３枚の放熱板６’を巻き付けた。
【００３７】
かかる構成により、オイルヒータ１−３の放熱面積が、オイルヒータ１−１，１−２の放熱面積に比べて、３枚の放熱板６’の放熱面積分だけ、拡大する。この結果、暖房効果をさらに高めることができる。
また、放熱板６’の内側に位置する加熱空気は、ファン７１からの風によって吹き飛ばされるので、放熱板６’の内側に滞留することはない。
その他の構成、作用及び効果は、上記第１実施例と同様であるので、その記載は省略する。
【００３８】
（実施例４）
次に、この考案の第４実施例について説明する。
図１１は、この考案の第４実施例に係るオイルヒータの要部を示す部分断面図であり、図１２は、電気ヒータの取り付け状態を示す概略図である。
【００３９】
図１１に示すように、この実施例のオイルヒータ１−４は、下部タンク４だけでなく、上部タンク５にも、電気ヒータ４２を有している。
具体的には、図１２に示すように、電気ヒータ４２は、上部タンク５の内部形状に対応した形状の発熱棒４２ａを有しており、コントロールパネル３の温度調整部３１によってオン又はオフや温度調整を行うことができるようになっている。
なお、この実施例では、電気ヒータとして、図に示すように、発熱棒４２ａを有した電気ヒータ４２を例示しているが、上部タンク５に設ける電気ヒータとしては、通電によって加熱する各種のヒータを適用することができ、電気ヒータ４２に限定するものではない。
【００４０】
図１１に示すように、この実施例のオイルヒータ１−４では、下部タンク４の電気ヒータ４１だけでなく、電気ヒータ４２を上部タンク５にも設けているので、電気ヒータ４２の機能により、上部タンク５内のオイルＡの温度を、上記第１〜第３実施例のオイルヒータにおける上部タンク５内の温度よりも、さらに上昇させることができる。このため、ファンボックス７内に滞留する空気の温度を高温に上げることができる。そして、このファンボックス７内の高温の空気を、ファン７１によって、通風口５０から放熱板６側に吹き出すことによって、下部タンク４の電気ヒータ４１のみの場合よりも、高温の温風Ｗを周囲に噴出することができる。この結果、この実施例のオイルヒータを用いることにより、上記第１〜第３実施のオイルヒータよりも、さらに高速に暖房することができるという効果を得ることができる。
その他の構成、作用及び効果は、上記第１及び第３実施例と同様であるので、その記載は省略する。
【００４１】
なお、この考案は、上記実施例に限定されるものではなく、考案の要旨の範囲内において種々の変形や変更が可能である。
例えば、上記実施例では、図４に示したように、放熱板６の外端６ａが上部タンク５の外端５ｃとほぼ一致するように設定し、内端６ｂが上部タンク５の通風口５０の端近傍に位置するように設定したが、これに限るものではない。すなわち、放熱板６の外端６ａが上部タンク５の外端５ｃから延出しているように設定したり、また、図１３に示すように、放熱板６の内端６ｂが、通風口５０の中心に位置するように設定することもできる。
【００４２】
また、上記実施例では、３本の流通路６０有している放熱板６を例示したが、流通路６０の個数や断面形状は任意である。すなわち、３本以外の本数の流通路６０を有する放熱板６を備えたオイルヒータもこの考案の範囲内である。さらに、図１４の（ａ），（ｂ）に示すように、断面形状が長方形の流通路６０を複数又は１本有した放熱板６を備えたオイルヒータも、この考案の範囲内である。
【００４３】
また、上記実施例では、本体部２全体の外形が円柱状のオイルヒータを例示したが、オイルヒータの外形はこれに限定されるものではない。例えば、図１５に示すように、本体部２全体の外形が、多角柱状になるように、下部タンク４と上部タンク５とファンボックス７の外形を形成し、複数の放熱板６をこれらの形状に対応させて配置したオイルヒータも、この考案の範囲内である。
【００４４】
さらに、上記第１及び第３実施例では、ファンボックス７のファン７１は、上部タンク５の通風口５０の真上に位置したオイルヒータを例示したが、ファン７１の位置はこれに限定されるものではなく、例えば、図１６に示すように、ファン７１を上部タンク５の通風口５０の内部に配設することもできる。
【符号の説明】
【００４５】
１−１〜１−４…オイルヒータ、  ２…本体部、  ３…コントロールパネル、  ４…下部タンク、  ４ａ，５ｂ…下面、  ４ｂ，５ａ…上面、  ４ｃ…中心部、  ５…上部タンク、  ５ｃ，６ａ…外端、  ６，６’…放熱板、  ６ｂ…内端、  ７…ファンボックス、  ７ａ…空気孔、  ７ｂ…上内面、  ８…ウオータプール、  ３０…ＬＥＤランプ、  ３１…温度調整部、  ３２…タイマー設定部、  ３３…ファン調整部、  ３５…ＡＣ／ＤＣコンバータ、  ３６，７３…コネクタ、  ３７…プラグ、  ４０…キャスタ、  ４１，４２…電気ヒータ、  ４１ａ，４２ａ…発熱棒、  ４５…上面孔、  ５０…通風口、  ５１…下面孔、  ６０…流通路、  ６０ａ…下開口、  ６０ｂ…上開口、  ７０…電動モータ、  ７１…ファン、  ８０…メッシュ、  Ａ オイル、  Ｗ…温風、  ｈ…高さ。
【図１】
0003210700.tif 000003
【図２】
0003210700.tif 000004
【図３】
0003210700.tif 000005
【図４】
0003210700.tif 000006
【図５】
0003210700.tif 000007
【図６】
0003210700.tif 000008
【図７】
0003210700.tif 000009
【図８】
0003210700.tif 000010
【図９】
0003210700.tif 000011
【図１０】
0003210700.tif 000012
【図１１】
0003210700.tif 000013
【図１２】
0003210700.tif 000014
【図１３】
0003210700.tif 000015
【図１４】
0003210700.tif 000016
【図１５】
0003210700.tif 000017
【図１６】
0003210700.tif 000018